(57)【要約】      （修正有）【課題】複雑で厄介な作業を伴うことなく、表面に段差を生じさせない補強用のパーツを付設した、価格競争にも耐え得る構成のレスキュー用の手袋を提供する。【解決手段】手袋の掌側のパーツ１Ａと手の甲側のパーツとを縫合し且つ必要な箇所に補強用のパーツを縫着してなるレスキュー用の手袋Ａであり、前記手袋Ａの複数の指部分の少なくとも１つの指部分を、掌側のパーツ１Ａの指部分の指先部分をカットして無くした形態に構成し、該無くした指先部分を補完するように、指先部分を指先部分に備えた別のパーツからなる指先補強パーツ１Ｋ，１Ｐ，１Ｑ，１ｗを、手の甲側のパーツ及び掌側のパーツ１Ａに対して、手袋表面側から縫着した。【選択図】図４
0003180311.tif 000002
【実用新案登録請求の範囲】
【請求項１】
手袋の掌側のパーツと手の甲側のパーツとを縫合し、且つ必要な箇所に補強用のパーツを縫着してなるレスキュー用の手袋であって、
前記手袋の複数の指部分の少なくとも１つの指部分を、掌側のパーツの指部分の指先部分を無くした形態に構成するとともに、該無くした指先部分を補完するように、指先部分を指先部分に備えた別のパーツからなる指先補強パーツを、手の甲側のパーツ及び掌側のパーツに対して、手袋表面側から縫着したことを特徴とするレスキュー用の手袋。
【請求項２】
前記手袋において、前記指先補強パーツが、指部分の指先部分から指の付け根部分までの長さを有していることを特徴とする請求項１記載のレスキュー用の手袋。
【請求項３】
前記手袋において、前記指先補強パーツの指の付け根部分側の端が、指部分と掌部分との境目に位置するように構成されていることを特徴とする請求項１又は２記載のレスキュー用の手袋。
【請求項４】
前記手袋において、前記複数の指部分の少なくとも１つの指部分が、親指部分、人指し指部分、中指部分、薬指部分の４本の指部分であることを特徴とする請求項１〜３のいずれか１の項に記載のレスキュー用の手袋。
【請求項５】
前記手袋において、前記掌側のパーツと手の甲側のパーツとが各パーツの一方の側端同士が連続した１枚のシートから構成されており、該掌側のパーツと手の甲側のパーツとの縫着部分が、手袋のいずれかの指部分とそれに隣接する指部分の股部分から手首側に向かって形成されていることを特徴とする請求項１〜４のいずれか１の項記載のレスキュー用の手袋。
【請求項６】
前記手袋において、前記手袋の掌側のパーツと手の甲側のパーツの縫合部分が手袋の手の甲側の小指部分と薬指部分との間に指長手方向に沿って形成されていることを特徴とする請求項５記載のレスキュー用の手袋。
【考案の詳細な説明】
【技術分野】
【０００１】
この発明は、迅速なロープワークや機械の操作等をおこなう、消防、海上保安庁あるいは自衛隊等のレスキュー隊員あるいはこれらに類する他の隊員等（この明細書および特許請求の範囲において、レスキュー隊員という）が使用するのに好適な手袋（この明細書および特許請求の範囲において、レスキュー用の手袋ともいう）に関する。
【背景技術】
【０００２】
レスキュー隊員は、災害現場等において、自身の身体を確保したり救助した者の身体を確保したり降下させたりする場合に、迅速なロープワーク等が要求される。
このため、手袋の先端部分、つまり指先部分は、ロープを結んだりあるいは結び目を解いたり、又は機械の操作等の細かい作業が、正確かつ迅速にできるように、手の指先部分に前記作業に伴って生じる接触状態（圧力や滑り具合等）等の感触が良好に伝わるような、手袋が好ましい。
例えば、迅速なロープワークを頻繁におこなうヨットマン達の手袋（ヨット用の手袋）は、細かいロープワーク等がし易いように、手袋の指先部分がカットされて直接皮膚がロープや金具等に接触するように、且つ、ロープや金具をグリップ等する掌部分には、補強用のパーツが付設された、「形態」の手袋が使用されている。
しかしながら、前記レスキュー用の手袋の場合には、細かい作業のし易さを多少犠牲にして、手の保護のため手袋の掌側全体に外方（表面側）から補強用のパーツを付着して、二重構造にしている形態のものがある。
また、機械操作のし易さ等に鑑みて、手袋の指先部分のみ前記補強用のパーツを省いた形態の手袋が提供されている。
【先行技術文献】
【特許文献】
【０００３】
従来のレスキュー用の手袋として、特許文献１等に記載された手袋がある。
【特許文献１】実用新案登録第３０４７７４１号公報
【考案の概要】
【考案が解決しようとする課題】
【０００４】
しかし、レスキュー隊員の場合には、災害現場では破壊された金属片やガラス等の鋭利なものが散乱していることが多く、前述のヨット用の手袋の如く、指先部分をカットした形態にすることはできない。
【０００５】
また、前述のように、手袋の掌側全体に外方から補強用のパーツを付着して二重構造にしている形態の手袋の場合には、機械のスイッチ操作等の細かい作業をすることができない。
また、手袋の掌側の部位を指先部分を除いて補強用のパーツを付設して二重にした手袋の場合、該二重になった補強用パーツの縁の部分に、手袋の「表面」に補強用のパーツの厚み分の「段差」が生じる。この「段差」部分が、人命を救助するときに相手の腕等を強く把持したとき等に、相手の弱っている皮膚に擦傷等を負わせり、傷がある場合にはその傷部分を拡げたりする可能性があり、レスキュー用手袋としては好ましくない。
【０００６】
また、製造上の観点からすれば、従来のレスキュー用の手袋の場合、前述のように手袋の掌側の部位を補強用のパーツを付設した二重構造にしようとすると、補強用パーツが掌側と手の甲側の両方のパーツにわたって縫着されるため、それぞれが複数の掌のパーツと手の甲側のパーツとを手袋の形態に一度縫合しておいて後、かかる手袋の形態に縫合したもの（手袋の中間製品）に、補強用のパーツを掌部分の表面に縫着することになる。このため、前記縫製には、特殊なミシンを使用し且つかかるミシンの特殊なアーム部分を利用した甚だ厄介な、且つ手間のかかる作業となる。
【０００７】
ところで、人件費等が安い諸外国から安価な種々の手袋が輸入されているため、前記した如く手間のかかる複雑な構成の手袋においても、もはや価格競争を避けることができない状況下にある。つまり、手袋のメーカも、我が国の他の分野のメーカと同じく過酷な価格競争下に置かれている。
【０００８】
本考案はこのような状況に鑑みておこなわれたもので、前述のような複雑で厄介な作業を伴うことなく、表面に段差を生じさせない補強用のパーツを付設した、価格競争にも耐え得る構成のレスキュー用の手袋を提供することを目的とする。
【課題を解決するための手段】
【０００９】
本考案にかかるレスキュー用の手袋は、手袋の掌側のパーツと手の甲側のパーツとを縫合し、且つ必要な箇所に補強用のパーツを縫着してなるレスキュー用の手袋であって、
前記手袋の複数の指部分の少なくとも１つの指部分を、掌側のパーツの指部分の指先部分を（カットして）無くした形態に構成するとともに、該無くした指先部分を補完するように、指先部分を指先部位に備えた別のパーツからなる補強用のパーツ（指先補強パーツという）を、手の甲側のパーツ及び掌側のパーツに対して、手袋表面側から縫着したことを特徴とする。
【００１０】
前述のように構成された本考案にかかる手袋によれば、指先部分が二重にならないため、つまり指先部分が指先補強パーツのみからなる一重構造になっているため、手袋の前記指先部分に作業に伴って生じる接触状態（圧力や滑り具合等）等の感触が良好に伝わり、また、指先部分を使用して細かい作業が迅速にできる、手袋となる。
また、前記手袋の指部分は、手袋の表面には段差のない状態で、指先補強パーツが縫着されていることから、例えば人命を救助するときに相手の腕等を強く把持したとき等にも相手の弱った皮膚を擦傷させることもなく、また傷を拡げるようなこともない。
前述のように構成された本考案にかかる手袋によると、前記手袋の掌側のパーツと手の甲側のパーツのいずれかに、それがシート状の状態において、シート状の前記指先補強パーツを縫着することができるため、通常のミシンを使用して、単にそれらを重ねた状態で簡単に且つ迅速に縫着することができる。
一方、指先部分以外では、二重構造になっているため、従来どおりの安全性と耐久性も備えている。
前記構成に起因して、本考案にかかる手袋は、従来の補強用のパーツを付設したレスキュー用手袋に比べて、極めて効率的に製造することができ、しかも熟練者でなくとも簡単に且つ迅速に製造できる。  この結果、製造コストが大幅に削減でき、従来の手袋に比べて安価に提供することが可能となり、我が国で製造しても、人件費の安い諸外国からの輸入にかかる手袋に、価格的に対抗することができる手袋となる。
【００１１】
前記本考案にかかる手袋は、また、前記構成に起因して、以下のように容易に且つより短い時間で製造することができる。つまり、
平面視において手袋の複数の指部分の少なくとも１つの指部分の指先部分を（カットして）無くした形態の掌側のパーツに、該掌側のパーツが平面状態において、前記無くした指先部分に相当する形態の部分を指先部分に備え且つ指部分の付け根部分側へ延びる「指先補強パーツ」を手袋の表面となる側から縫着し、
かかる指先補強パーツを縫着した前記掌側のパーツ（掌完成パーツという）と、例えば、平面視が手の形態をした手の甲側のパーツとを、縫着することによって、本考案にかかる手袋を製造することができる。なお、かかる掌完成パーツと手の甲側のパーツを縫着する際に、あるいはその前に、又は縫着後に、手袋の親指部分のパーツを縫着すればよい。もちろん、この親指についても、本考案を指先補強パーツを備えた構成のものとすることができる。
このように、前記指先補強パーツを掌側のパーツにこれらがシート状の状態で「重ね縫い」あるいは「合わせ縫い」の形態での縫製がおこなえるため、当該指先補強パーツの縫着作業が極めて容易となり且つ縫製時間を短縮することができる。
【００１２】
前記手袋において、前記指先補強パーツが、指部分の指先部分から指の付け根部分までの長さを有していると、好ましい構成となる。
【００１３】
前記手袋において、前記指先補強パーツの指の付け根部分側の端が、指部分と掌部分との境目の位置に位置するように構成されていると、該指先補強パーツの掌部分への縫着部分が、指の付け根の関節部分の凹部に位置することから縫製部分で違和感の生じない手袋となり、手袋として好ましい構成となる。
【００１４】
前記手袋において、前記複数の指部分の少なくとも１つの指部分が、親指部分、人指し指部分、中指部分であると、手作業をするのに好ましい手袋となる。
【００１５】
前記手袋において、前記掌側のパーツと手の甲側のパーツとが各パーツの一方の側端同士が連続した１枚のシートから構成されており、該掌側のパーツと手の甲側のパーツとの縫着部分が、手袋のいずれかの指部分とそれに隣接する指部分の間の股部分から手首側に向かって形成されていると、縫製長さの短い且つさらに単純な構成の手袋となり、さらに容易に且つ迅速に製造することができる手袋となる。
【００１６】
前記手袋において、前記手袋の掌側のパーツと手の甲側のパーツの手長手方向に延びる縫合部分が手袋の手の甲側の小指部分と薬指部分との間に指長手方向に沿って形成されていると、小指の先端から手首部分まで縫製していた「従来の手袋」に比べて、前記縫合部分の長さを短くすることができ、より製造効率の高い手袋を実現できる。また、手袋をはいて匍匐（ほふく）前進する際にも、床面と手との間に補強用のパーツが位置し、しかも縫製部分が床との当接部分に位置しないため、十分な耐久力を備えるとともに、手の部分に違和感を覚えたり皮膚を損傷するようなこともない。
【考案の効果】
【００１７】
本考案にかかるレスキュー用の手袋によると、製造に際して、従来のレスキュー用の手袋のような手間のかかる且つ厄介な作業を伴うことなく、また、手袋表面に段差を生じさせない補強用のパーツを付設した、価格競争にも耐え得る構成のレスキュー用の手袋を実現することができる。
また、本考案にかかるレスキュー用の手袋は、前記構成に起因して、非熟練者であっても、且つ特殊なミシンを使用することなく、簡単に且つ迅速に縫製できるため、従来に比べて製造原価を大きく低減することができる。
【図面の簡単な説明】
【００１８】
【図１】本考案の実施例にかかるレスキュー用の手袋の構成を示す該手袋を斜め小指側から見た斜視図である。
【図２】図１に示す手袋を構成する各パーツの平面視における形態を示す図である。
【図３】図１に示す手袋を手の甲側から見た図である。
【図４】図１に示す手袋を掌側から見た図である。
【図５】図１〜図３に示す手袋の掌完成パーツの指部分（中指部分）を形成するべく、指先補強パーツと指の両側の側部のパーツを、掌側のパーツに「重ね縫い」の状態で縫着した１つの指部分の状態を示す部分拡大平面図である。
【図６】図５に図示する掌完成パーツを手の甲側のパーツにそれぞれが裏面が表面になるように露出させた状態（裏返した状態）で「重ね縫い」の状態で縫着した１つの指部分（中指部分）の状態を示す部分拡大平面図である。
【図７】親指部分の、指先補強用パーツを一体（一部）に有する掌部分の補強用パーツの形態を示す平面図である。
【考案を実施するための形態】
【００１９】
（実施例）
以下、本考案の実施例にかかるレスキュー用の手袋を、図面を参照しながら具体的に説明する。
【００２０】
図１において、Ａはレスキュー用の手袋で、かかる手袋Ａは、図２に図示する形態の各パーツを縫合することによって、手袋の形態に形成される。
つまり、本実施例にかかる手袋Ａは、図２あるいは図７に示す如く、１枚の本革シート１で構成された、親指部分Ａ０（図１，図３参照）がカットされて開口部１ｊが形成された手袋の掌側のパーツ１Ａと、手の甲側のパーツ１Ｂとを有する。  さらに、別のシートからなる、親指部分Ａ０（図１，図３参照）のパーツ１Ｃと、さらにこの実施例では、人指し指部分Ａ１の中指側の側部のパーツ１Ｄと、中指部分Ａ２の人指し指側の側部のパーツ１Ｅと薬指側の各側部のパーツ１Ｆと、薬指部分Ａ３の中指側パーツ１Ｇと小指側の各側部のパーツ１Ｈと、小指部分Ａ４の薬指側の側部のパーツ１Ｊとを有し、さらに、人指し指部分Ａ１の指先補強パーツ１Ｋ、中指部分Ａ２の指先補強パーツ１Ｐ、薬指部分Ａ３の指先補強パーツ１Ｑと、小指部分Ａ４の補強用パーツ１Ｓと有し、さらに、図７に示す親指部分Ａ０の指先補強パーツ１ｗを一体に有する掌部分の補強用パーツ１Ｒとを有する。
さらに、この手袋Ａは、図２に示す手首部分の、リストバンド１Ｌ，１Ｎと、フレア部分１Ｍとを有する。前記リストバンド１Ｌは、この実施例では、本革によって構成されており、一方、前記リストバンド１Ｎは、この実施例では、弾性バンド（この実施例ではゴム入り帯状体）によって構成されている。
【００２１】
そして、この実施例では、手袋Ａの前記掌側のパーツ１Ａにおいて、人指し指部分Ａ１から薬指部分Ａ３にかけての各指部分は、図２に図示するように、それぞれの指先部分をカットして無くした形態に構成されている。また、前記親指部分Ａ０（図１，図３参照）のパーツ１Ｃも、掌側の部位の指先部分をカットして無くした形態に構成されている。
そして、前記したそれぞれの指先補強パーツ１Ｋ，１Ｐ，１Ｑは、前記カットして無くしたそれぞれの指先部分を補完するような形態を該指先部分に備えている。
また、これら指先補強パーツ１Ｋ，１Ｐ，１Ｑは、長さ的には、指先から指の付け根部分までの長さを略備えている。また、幅的には、掌部分から前記側部のパーツの幅方向（指の厚み方向）の半分くらいの位置までの幅寸法を有するよう構成されている。
前記親指部分Ａ０の指先補強パーツ１ｗは、前記カットして無くした指先部分を補完するような形態を該指先部分に備えている。この指先補強パーツ１ｗは、前記補強用パーツ１Ｒの一部に一体に形成されている。
このように、この実施例では、前記指先補強パーツ１Ｋ，１Ｐ，１Ｑ，１ｗは、前述のように人指し指部分Ａ１、中指部分Ａ２、薬指部分Ａ３および親指部分Ａ０の４本の指部分に、設けられている。そして、小指部分Ａ４には設けられていない。  その理由は、一般にロープワークや機械や機器あるいは工具等の操作に親指、人指し指、中指、薬指が使用されることが多いためである。  しかし、この実施例に代えて、前記指先補強パーツは、少なくとも１つの指部分に設けられていてもよい。
【００２２】
ところで、本実施例では、前記リストバンド１Ｎを除く全てのパーツは、素材的には、本革が使用されている。  かかる本革としては、牛革が使用されているが、ラム革や豚革等の天然皮革が使用されてもよく、あるいは人工皮革が使用されてもよい。  または、必要に応じて、他の素材を使用することもできる。
【００２３】
ところで、この手袋Ａの製造は、以下のように簡単に縫製することによっておこなわれる。  以下、手袋Ａの構成（前記した各パーツの縫着状態）ととに手袋Ａの製造工程について説明する。  即ち、
前記本革シート１がシート状の状態において、前記掌側のパーツ１Ａの小指部分側の側面部位１ａから掌の親指部位１ｃにかけての部位に、前記補強用のパーツ１Ｒが縫着される。  また、前記補強用のパーツ１Ｓが小指部分Ａ４の掌側の部位から手の甲側の部位にかけて縫着される（図１，図３，図４参照）。前記縫着は、前記本革シート１と補強用のパーツ１Ｒ，１Ｓとが共にシート状の状態で重ねられた状態でおこなわれるため、通常のミシンを使用して、熟練者でなくとも、容易に且つ迅速に縫着することができる。
【００２４】
そして、前記縫着が終了すると、あるいはその前に、各指部分の側部のパーツ１Ｄ〜１Ｊの基端部１ｂ同士をそれぞれがシート状の状態で「合わせ縫い」の形態で、二つの各側部がV字状の形態になるよう、縫合する。
つまり、前記人指し指部分Ａ１の中指側の側部のパーツ１Ｄの基端部１ｂと前記中指部分Ａ２の人指し指側の側部のパーツ１Ｅの基端部１ｂとを「合わせ縫い」の形態で縫合する。また、前記中指部分Ａ２の薬指側の側部のパーツ１Ｆの基端部１ｂと前記薬指部分Ａ３の中指側の側部のパーツ１Ｇの基端部１ｂとを「合わせ縫い」の形態で縫合する。さらに、前記薬指部分Ａ３の小指側の側部のパーツ１Ｈの基端部１ｂと前記小指部分Ａ４の薬指側の側部のパーツ１Ｊの基端部１ｂとを「合わせ縫い」の形態で縫合する。
【００２５】
そして、次に、前記縫合が終了すると、これら縫合して平面視がＶ字状になったものを、対応する前記掌側のパーツ１Ａの各指部分に「重ね縫い」の形態で縫着する（図５参照）。かかる縫合に際して、各指部分の側部のパーツには指先部分がカットされ無い状態となっているため、それぞれがシート状の状態で直線状に縫うことによって簡単に縫着することができる。
【００２６】
そして、次に、前記指先補強パーツ１Ｋ，１Ｐ，１Ｑをそれらの基端１ｅが、前記掌側のパーツ１Ａの各指部分の付け根に位置する状態で、かかる指先補強パーツ１Ｋ，１Ｐ，１Ｑを、前記した各指部分の側部のパーツを縫着し終えた前記掌側のパーツ１Ａに、つまり該側部のパーツと掌側のパーツ１Ａに一部重ねた状態で縫着する。  かかる状態を、中指部分Ａ２の縫着状態を例示すると、図５に図示するとおりである。なお、図５では、前記指先補強パーツ１Ｐが側部のパーツ１Ｅ，１Ｆとパーツ１Ａの裏側に隠れた状態で表されている。
このように、前記掌側のパーツ１Ａに前記側部のパーツ１Ｄ〜１Ｊと前記指先補強パーツ１Ｋ，１Ｐ，１Ｑを、図６に図示するように、縫着し終えると、掌完成パーツ１Ｚが形成された状態となる。
【００２７】
そして、次に、あるいは前記縫着に先立って、前記掌完成パーツ１Ｚと手の甲側のパーツ１Ｂとの手首側の端部１ｖに、前記リストバンド１Ｌ，１Ｎとを縫着する。  なお、かかる縫着に先立って、前記リストバンド１Ｎの一端にリストバンド１Ｌを縫着しておく。
【００２８】
次に、あるいは前記縫着に先立って、前記掌完成パーツ１Ｚの前記手の甲側のパーツ１Ｂよりの部位に形成されている開口部１ｊの周縁に、前記親指部分Ａ０のパーツ１Ｃを縫着する。  この縫着に際して、前記親指部分Ａ０の指先補強用パーツ１ｗを前記パーツ１Ｃと一体になるよう縫着する。  そして、かかる縫着の後、前記親指部分Ａ０のパーツ１Ｃのスリット１ｈ部分同士を縫着する。  このようにスリット１ｈが形成されていると、前記指先補強用パーツ１ｗを前記パーツ１Ｃに縫着するのもシート状の状態での縫着が可能となる。
【００２９】
そして、この状態において、かかる掌完成パーツ１Ｚと前記手の甲側のパーツ１Ｂとの外縁同士を位置的に合わせて縫着する。また、縫着の際に、前記掌完成パーツ１Ｚの側端１ａと前記手の甲側のパーツ１Ｂの側端１ｆも縫合する。
かかる縫着によって、前記掌完成パーツ１Ｚと前記手の甲側のパーツ１Ｂの側端部分が連結されてリング状の状態となり、該連結部分、つまり縫着部分が、手袋Ａの小指部分と薬指部分との間に手首側へ向かって形成されることになる。
【００３０】
そして、前記前記掌完成パーツ１Ｚと前記手の甲側のパーツ１Ｂとの縫着も、シート状の状態で２枚重ねた状態で「重ね縫い」の形態でおこなうことができるため、通常のミシンを使って、熟練者でなくとも、簡単に且つ迅速に縫製することができる。
【００３１】
次に、前記フレア部分１Ｍを、前記掌完成パーツ１Ｚの側端１ａと手の甲側のパーツ１Ｂの側端１ｆの縫合した下端（手首側の端）の位置であって、且つ前記リストバンド１Ｎの両端の間の位置に、縫着する。このフレア部分１Ｍを設けることによって、手袋をはく際に、手袋の手の挿入口にゆとりが生じることになる。
【００３２】
前述のような工程を有する製造方法によると、本革シート１へ指先補強パーツ１Ｋ，１Ｐ，１Ｑや各指部分の側部のパーツ１Ｄ〜１Ｊを縫着するのをはじめ、縫製作業の多くの部分をシート状のものを２枚合わせた状態で「重ね縫い」あるいは「合わせ縫い」によっておこなうことができるため、熟練者でなくとも、簡単に且つ迅速に縫製することができる。
特に、前述のような構成の手袋Ａでは、本革シート１の両端１ａ，１ｆの縫合が、手首部分から、小指部分と薬指部分の股の部分まで、おこなうだけなので、縫合部分の長さが従来の手袋に比べて略半分（正確には半分以下）になり、しかも所謂「重ね縫い」の形態でおこなうため、極めて簡単に且つ短時間でおこなうことができる。
【００３３】
ところで、前記実施例にかかる手袋Ａの場合、手袋の本革シート１の両端１ａ，１ｆの縫合が、つまり、前記手袋の掌側のパーツ１Ａと手の甲側のパーツ１Ｂの縫合部分が、手袋の手の甲側の小指部分と薬指部分との間の股部分から手首側に向かって実線Ｌ１（図１，図３参照）で示すように形成されているが、これに代えて、前記縫合部分が、図３に二点鎖線Ｌ２，Ｌ３で示すように、薬指部分と中指部分との間の股部分から手首側に向かって、あるいは中指部分と人指し指部分との間の股部分から手首側に向かって形成されていてもよい。  あるいは、他の部分、例えば、小指部分、薬指部分、中指部分、人指し指部分のいずれかの部分の幅方向の中央部分に形成されていても、あるいは指長手方向に対して斜め方向に縫合されてもよい。
いずれにしても、前記縫合部分が前述した位置に形成されると、縫製をより簡単におこなうことができ、ほふく前進等の動作時に、手と床面等との間に縫合部位が形成されないため、ほふく前進をより円滑におこなうことが可能となる。
【００３４】
そして、前述のような作業工程を経て、本実施例にかかるレスキュー用の手袋Ａができあがるが、かかる手袋Ａは、掌側のパーツ１Ａに、それがシート状の状態において、シート状の前記指先補強パーツ１Ｋ，１Ｐ，１Ｑ，１ｗを縫着することができるため、通常のミシンを使用して、単にそれらを重ねた状態で簡単に且つ迅速に縫着することができる。
このため、本考案にかかる手袋は、従来の補強用のパーツを付設したレスキュー用手袋に比べて、極めて効率的に製造することができ、しかも熟練者でなくとも簡単に且つ迅速に製造できる。  この結果、製造コストが大幅に削減でき、従来の手袋に比べて安価に提供することが可能となり、我が国で製造しても、人件費の安い諸外国からの輸入にかかる手袋に、価格的に対抗することができる手袋となる。
【００３５】
なお、前記実施例は単なる実施例であって本考案の技術的思想を逸脱しない範囲で、種々の形態で実施できることは言うまでもない。
【産業上の利用可能性】
【００３６】
本考案にかかるレスキュー用の手袋は、手袋の産業分野において利用することができる。
【符号の説明】
【００３７】
Ａ…手袋
１…本革シート
１Ａ…指先部分がカットされて無くした形態をした手袋の掌側のパーツ
１Ｂ…手袋の甲側のパーツ
１Ｋ…人指し指部分の指先補強パーツ
１Ｐ…中指部分の指先補強パーツ
１Ｑ…薬指部分の指先補強パーツ
【図１】
0003180311.tif 000003
【図２】
0003180311.tif 000004
【図３】
0003180311.tif 000005
【図４】
0003180311.tif 000006
【図５】
0003180311.tif 000007
【図６】
0003180311.tif 000008
【図７】
0003180311.tif 000009